(57)【要約】【課題】  書籍など閲覧するとき、開いた書面の上端を挟んで紙面を維持し、閲覧、記述を容易にする文房具用クリップを提供する。【解決手段】中間にバネを装着した左右本体の後部に摘み部を形成し、各本体の両端に、前方に突した支軸を形成し、該支軸先端に設けた押え部で書面上端を挟み、閲覧、又は、記述を容易にすることを特徴とする文房具用クリップ。【選択図】図１
2014091325.tif 000002
【特許請求の範囲】
【請求項１】
クリップ本体の、左右２面のそれぞれ両端に、先方に突出した支軸を設け開いた書面を挟むブッククリップ。
【発明の詳細な説明】
【技術分野】
【０００１】  本発明は、書籍類を閲覧するとき、開いた紙面を維持し閲覧を容易にするための用具に関するものである。
【背景技術】
【０００２】  従来、書籍類を閲覧しているとき、書籍の紙質や風など種々状態により、開いている左右の頁がめくれて紙面を塞いだり閉じてしまったりして煩わしいため、手で押さえていたり物を乗せるなどして防いでいた。
【発明の開示】
【発明が解決しようとする課題】
【０００３】  そのために次のような欠点があった。
手で押さえていたり物を置くなどして紙面を維持していると、その手は他の事に使えず不便であり、置いている物は邪魔になったり紙面から落下したりする、そして、押えていないで閲覧を中断すると開いていた頁が変っていたりなど厄介で煩わしかった。
本発明は以上の問題点を解決するためになされたものである。
【解決するための手段】
【０００４】  クリップ本体の、左右２面のそれぞれ両端に、先方に突出した支軸を設け開いた書面を挟む。以上を特徴とするブッククリップである。
【発明の効果】
【０００５】  本発明を使用することによって、挟むだけの簡単な操作で紙面を維持し、開いた紙面を手や物で押さえていたり、閲覧を中断する時には伏せておいたりする必要は無い。
又、開いた状態で持ったまま移動しても紙面は維持できて容易に閲覧できる。
【発明を実施するための形態】
【０００６】  以下、本発明の実施の形態を説明する。
（イ）クリップ本体（１）の関節（２）により連結した２面のそれぞれ両端に先方に突        出し上に湾曲した支軸（３）を設けている。
（ロ）支軸（３）の先端に紙面を押える押さえ部（４）を形成している。
本発明は以上の形状で成っている。
本発明を使用するとき、支軸（３）は本体（１）の両端で突出し上に湾曲して形成しているため書籍（５）などの開いた紙面の上端を押さえ部（４）で挟み、綴じ部は挟まない。
綴部を挟んで押さえたりしないため綴じ部を痛めない。そして、左右支軸（３）の間隔が離れた位置で、押さえ部（４）の塞いでいる紙面の面積は小さく、塞さいでいる箇所を閲覧したい場合は押さえ部（４）の位置を少し移動すれば閲覧の邪魔にはならない。
閲覧中に開いている紙面の前頁や次頁も見たい時は、クリップを傾けて支軸（３）の片方だけ外すと外した方の頁は開くことができて主紙面と共に閲覧ができる。
【図面の簡単な説明】
【０００７】
【図１】本発明の斜視図
【図２】本発明の使用斜視３図図
【符号の説明】
【０００８】    １．本体
２．関節
３．支軸
４．押さえ部
５．書籍
【図１】
2014091325.tif 000003
【図２】
2014091325.tif 000004
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
中間にバネを装着した左右本体の後部に摘み部を設け、該各本体の前部両端に前方に突出状に挟み部を設けた文房具用クリップ
【手続補正２】
【補正対象書類名】明細書
【補正対象項目名】全文
【補正方法】変更
【補正の内容】
【発明の詳細な説明】
【技術分野】
【０００１】  本発明は、書籍など種々紙面を閲覧する際、紙面を維持し閲覧を容易にするための文房具用のクリップである。
【背景技術】
【０００２】  従来、閲覧中の種々書面の紙質や該周囲の状況により、前後の頁や他の物などによって書面が塞がれたり別の頁に変わってしまう場合が多々あり、それを防ぐため手で押さえていたり物を乗せたりして紙面を維持する。又、閲覧を中断する時は、閲覧紙面を維持した常態で伏せて置くなどしている。
【発明が解決しようとする課題】
【０００３】  そのため次ぎのような問題点があった。
押さえている手は他のことに使えず不便であり、物を乗せていると邪魔になったり紙面から落下したり煩わしい。又、書籍や書類を伏せ置くと紙面が痛んだり変っていたりなどの場合があり厄介である。
本発明は、以上の問題点を解決するために成されたものである。
【解決するための手段】
【０００４】  中間にバネを装着した左右本体の後部に摘み部を設け。該各本体の前部両端に前方に突出状に挟み部を設けた文房具用クリップである。
【発明の効果】
【０００５】  本発明を使用することにより、挟むだけの簡単な操作で紙面を安定的に維持し、手や物で紙面を押さえているなどの厄介や煩わしさは無く閲覧を容易にする。
又、閲覧を中断する場合は、その紙面を伏せておくなどの手間は必要なく中断紙面を確実に維持し、再度の閲覧開始を速やかにする。又、必要な紙面を維持しながら所持して移動するのも容易である。
【発明を実施するための形態】
【０００６】  （イ）中間にバネを装着した左右本体（１）は関節（２）を介し連結し、後部に摘み部（３）を設ける。
（ロ）左右本体（１）の前部両端に前方に突出状に挟み部（４）を設ける。
（ハ）対面状の両本体（１）と、該本体（１）に設けた挟み部（４）とは、互に反対方向に湾曲し空間を形成して設ける。
（ニ）各挟み部（４）の先端に押え部（５）を形成する。
【図面の簡単な説明】
【０００７】
【図１】本発明の正面斜視図
【図２】本発明の使用斜視図
【符号の説明】
【０００８】１．本体
２．関節
３．摘み部
４．挟み部
５．押さえ
６．書籍
７．綴じ部
【手続補正３】
【補正対象書類名】図面
【補正対象項目名】全図
【補正方法】変更
【補正の内容】
【図１】
2014091325.tif 000005
【図２】
2014091325.tif 000006
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
中間にバネを装着した左右本体の後部に摘み部を設け、該両本体の左右両端に前方に突出した支軸を形成し、支軸で紙面を挟み、閲読、又は、記述を容易にすることを特徴とするね文房具用クリップ。
【手続補正２】
【補正対象書類名】明細書
【補正対象項目名】全文
【補正方法】変更
【補正の内容】
【発明の詳細な説明】
【技術分野】
【０００１】  本発明は、開いた種々書面を維持し、閲読、或いは、記述を容易にするための文房具用クリップである。
【背景技術】
【０００２】従来、種々の書面を閲読、又は、記述時に、書籍の種類や書面の紙質、或いは、頁が風に煽られる等、種々状況により、紙面を塞ぐ、或いは、閉じるなど、煩わしい場合が多々ある。その場合、紙面を手で押さえている、又は、紙面上に物を乗せるなどで防いでいるが厄介である。又、閲読や記述を中断するときは、その開いている書面を伏せたり、書面の上に物を置くなどして紙面を維持する。
【発明の概要】
【発明が解決しようとする課題】
【０００３】  そのため次のような欠点があった。
手で押さえているとその手は使えず不便であり、物を乗せておくと邪魔になったり紙面から落下したり厄介である。又、中断するときは、書面を伏せる、又は、紙面上に物を乗せるなどして頁を維持するが、時には頁が異なったり、書籍の種類によっては傷めることもあり面倒であった。
本発明は、以上の問題点を解決するためになされたものである。
【発明が解決しようとする手段】
【０００４】  中間にバネを装着した左右２面の本体の後部に摘み部を設け、該両本体の左右両端に、前方に突出した支軸を形成し、該各支軸の先端に押さえ部を設け、該押え部で紙面を挟み閲読、及び、記述を容易にする。以上を特徴とする文房具用クリップである。
【発明の効果】
【０００５】  本発明を使用することにより、挟むだけの簡単な操作で、種々の理由に関係なく紙面を安定的に維持し、閲読、或いは、記述、を容易にする。
紙面を維持するために、手、又は、物を使う必要は無い。又、閲読や記述を中断する時、書面を伏せる、又は、物を置くなどの必要は無く、確実に紙面を維持し、再開始を速やかにする。
【発明を実施するための最良の形態】
【０００６】  （イ）中間にバネを装着した左右２面の本体（１）は、関節（２）を介して連結し、後        部に摘み部（３）を形成する。
（ロ）両本体（１）の左右両端に、前方に突出した支軸（４）を形成し、その各支軸（        ４）の先端に押さえ部（５）を設ける。
（ハ）各本体（１）と支軸（４）は互いに上下反対方向に湾曲し、両間は空間を成す。
本発明を使用するときは、開いている書面の上端を、支軸（４）の先端の押え部（５）で挟む。支軸（４）は本体（１）の左右両端に設け間隔を有するため、綴じ部は挟まない。
したがって、綴じ部を痛めない。
閲読や記述時に、他の頁も共に閲読したいとき、必要外の頁を左右支軸（４）の中間に挟まずに留保し、必要な両紙面の上端を挟めば容易に閲読できる。そして、挟まずに留保状の頁のみ閲読することも出来て便利である。
又、書面を挟むことにより、開いた状態で所持して移動しても、紙面は維持する。
【図面の簡単な説明】
【０００７】
【図１】本発明の正面斜視図
【図２】本発明の、必要外の頁を支軸中間に留保した斜視図
【符号の説明】
【０００８】      １．本体
２．関節
３．摘み部
４．支軸
５．押さえ部
６．書籍
７．留保頁
【手続補正３】
【補正対象書類名】図面
【補正対象項目名】全図
【補正方法】変更
【補正の内容】
【図１】
2014091325.tif 000007
【図２】
2014091325.tif 000008
【手続補正書】
【提出日】平成25年6月13日(2013.6.13)
【手続補正１】
【補正対象書類名】明細書
【補正対象項目名】０００３
【補正方法】変更
【補正の内容】
【０００３】  そのため次ぎのような欠点があった。
手で押さえていればその手は使えず、物を乗せておくと邪魔になったり、紙面から落下したり煩わしい。又、閲覧を中断するときとは、開いている紙面維持のため、伏せ置くなど種々方法を行じるが、該動作や、時には誤って異なる頁を伏せていたり、或いは、書籍を痛める事もあり厄介で面倒である。
【手続補正２】
【補正対象書類名】明細書
【補正対象項目名】０００６
【補正方法】変更
【補正の内容】
【０００６】（イ）中間にバネを装着した左右２面の本体（１）は、関節（２）を介して連結し、後部      に摘み部（３）を形成する。
（ロ）両本体（１）の左右両端に、前方に突出した支軸（４）を形成し、該支軸（４）の      先端に押さえ部（５）を設ける。
（ハ）各本体（１）と支軸（４）は相互左右反対方向に湾曲し、該両間は空間を成す。
本発明を使用するときは、開いている書面の上端、支軸（４）先端の押さえ部（５）  で挟む。
支軸（４）は、各本体（１）の両端に設けてあり、該両間は間隔を有し、綴じ部を挟ま  ない。そのため、綴じ部が変形したり書籍を痛めることはない。
閲覧や記述時に、他の頁を共に閲覧、記述したいとき、必要外の頁を左右支軸（４）の  中間に挟まず留保し、必要紙面の上端を挟めば両頁を容易に閲覧、記述できる。
そして、必要な頁のみ閲覧、記述したいときは、必要な紙面を支軸（４）の中間に挟ま  ず留保頁にして、必要外の頁を挟んでおけば邪魔にならず、留保頁のみ容易に閲覧記述  出来る。又、書面を開いた状態のまま所持して移動しても頁は維持できる。
そして、中断後の再開始は容易で速やかである。